(57)【要約】立体映像用ディスプレイパネル接合装置は、立体映像を実現するために左側映像と右側映像が選択的に見えるようにする立体パネルと立体パネルに映像光を照射するディスプレイモジュールとの接合位置を調節するための位置調節部と、立体パネル及びディスプレイモジュールに接続され、立体パネル及びディスプレイモジュールが立体映像を表示するための立体映像信号を供給する立体映像信号制御部と、所定距離だけ離れた位置に配置された２つのカメラを含んで各カメラで立体パネル及びディスプレイモジュールに表示される立体映像を撮影することにより立体映像の左側映像と右側映像の分離状態を確認するための映像確認部と、左側映像と右側映像の分離状態が所定基準を満たすように位置調節部が立体パネルとディスプレイモジュールの接合位置を調節した後、立体パネルとディスプレイモジュールを接合する接合部とを含む。この構成により、立体映像用ディスプレイパネルの構成要素である立体パネルとディスプレイモジュールの接合工程の間に発生する位置合わせ誤差が減少し、立体的な実感を伴う映像が提供される。
2009524098.tif 000002
【特許請求の範囲】
【請求項１】
立体映像を実現するために左側映像と右側映像が選択的に見えるようにする立体パネルと前記立体パネルに映像光を照射するディスプレイモジュールとの接合位置を調節するための位置調節部と、
前記立体パネル及び前記ディスプレイモジュールに接続され、前記立体パネル及び前記ディスプレイモジュールが立体映像を表示するための立体映像信号を供給する立体映像信号制御部と、
所定距離だけ離れた位置に配置された２つのカメラを含み、前記カメラで前記立体パネル及び前記ディスプレイモジュールに表示される前記立体映像を撮影することにより前記立体映像の前記左側映像と前記右側映像の分離状態を確認するための映像確認部と、
前記左側映像と前記右側映像の分離状態が所定基準を満たすように、前記位置調節部が前記立体パネルと前記ディスプレイモジュールの接合位置を調節した後、前記立体パネルと前記ディスプレイモジュールとを接合する接合部と、
を含む立体映像用ディスプレイパネル接合装置。
【請求項２】
前記立体映像信号制御部が供給する前記立体映像信号の前記左側映像は、左側映像であることを表す識別表示を含み、前記立体映像信号制御部が供給する前記立体映像信号の前記右側映像は、右側映像であることを表す識別表示を含むことを特徴とする請求項１に記載の立体映像用ディスプレイパネル接合装置。
【請求項３】
前記映像確認部は、前記カメラによって撮影された前記立体映像の前記左側映像及び前記右側映像をそれぞれ表示する２つのモニターをさらに含むことを特徴とする請求項１または２に記載の立体映像用ディスプレイパネル接合装置。
【請求項４】
前記位置調節部は、
前記立体パネルを支持するための第１ジグと、
前記ディスプレイモジュールを支持するための第２ジグと、
前記第１ジグ及び前記第２ジグのうちの一つ以上を前後方向及び左右方向に移動させて調節する調節部と、
を含むことを特徴とする請求項１に記載の立体映像用ディスプレイパネル接合装置。
【請求項５】
前記位置調節部は、前記第１ジグ及び前記第２ジグを互いに対向するように回転させるための回転部をさらに含むことを特徴とする請求項４に記載の立体映像用ディスプレイパネル接合装置。
【請求項６】
前記映像確認部は、
前記２つのカメラによって撮影された前記立体映像の前記左側映像と前記右側映像の分離状態を前記所定基準と比較するための比較部と、
前記比較部による比較の結果、前記左側映像と前記右側映像の分離状態が前記所定基準を満たすかどうかを判断する判断部と、
をさらに含むことを特徴とする請求項１に記載の立体映像用ディスプレイパネル接合装置。
【請求項７】
前記位置調節部は、前記比較部及び前記判断部による判断の結果に基づいて、前記第１ジグ及び前記第２ジグのうちの一つ以上を前後方向及び左右方向に移動させて調節する自動位置調節部をさらに含むことを特徴とする請求項４乃至６の何れか１項に記載の立体映像用ディスプレイパネル接合装置。
【請求項８】
前記映像確認部の前記２つのカメラの間の前記所定距離は、人間の両眼の間の平均距離と同一であることを特徴とする請求項１または２に記載の立体映像用ディスプレイパネル接合装置。
【請求項９】
前記立体パネルは、パララックスバリアを含むことを特徴とする請求項１または２に記載の立体映像用ディスプレイパネル接合装置。
【請求項１０】
前記立体パネルは、ＴＮ-ＬＣＤを含み、前記ディスプレイモジュールは、前記ＴＮ-ＬＣＤに映像光を照射するＴＦＴを含むことを特徴とする請求項９に記載の立体映像用ディスプレイパネル接合装置。
【請求項１１】
前記映像信号制御部は、前記立体パネル及び前記ディスプレイモジュールに、さらに駆動制御信号を供給することを特徴とする請求項１０に記載の立体映像用ディスプレイパネル接合装置。
【請求項１２】
前記立体パネルは、レンティキュラレンズアレイを含むことを特徴とする請求項１または２に記載の立体映像用ディスプレイパネル接合装置。
【請求項１３】
前記接合部は、紫外線硬化塗料を用いて前記立体パネルと前記ディスプレイモジュールを接合することを特徴とする請求項１または２に記載の立体映像用ディスプレイパネル接合装置。
【請求項１４】
前記接合部は、
前記紫外線硬化塗料を前記立体パネル及び前記ディスプレイモジュールの外周部に塗布するヘッドと、
前記ヘッドを前後方向及び左右方向に移動させるための移動補助部と、
前記立体パネル及び前記ディスプレイモジュールの外周部に塗布された前記紫外線硬化塗料を硬化させる硬化部と、
を含むことを特徴とする請求項１３に記載の立体映像用ディスプレイパネル接合装置。
【請求項１５】
立体映像を実現するために左側映像と右側映像が選択的に見えるようにする立体パネルと前記立体パネルに映像光を照射するディスプレイモジュールとを、第１ジグ及び第２ジグにそれぞれ配置する段階と、
前記立体パネル及び前記ディスプレイモジュールが前記立体映像を表示するように前記立体パネル及び前記ディスプレイモジュールに立体映像信号を供給する段階と、
所定距離だけ離れた位置に配置された２つのカメラで前記立体パネル及び前記ディスプレイモジュールに表示される前記立体映像を撮影し、前記立体映像の前記左側映像と前記右側映像の分離状態を確認する段階と、
前記左側映像と前記右側映像の分離状態が所定基準を満たすように前記立体パネルと前記ディスプレイモジュールとの接合位置を調節する段階と、
前記左側映像と前記右側映像の分離状態が所定基準を満たすように前記立体パネルと前記ディスプレイモジュールとの接合位置を調節した後、前記立体パネルと前記ディスプレイモジュールを接合する段階と、
を含むことを特徴とする立体映像用ディスプレイパネル接合方法。
【請求項１６】
前記接合位置を調節する段階以前に、前記立体パネルと前記ディスプレイモジュールを互いに対向するように配置する段階をさらに含むことを特徴とする請求項１５に記載の立体映像用ディスプレイパネル接合装置。
【請求項１７】
前記立体パネルと前記ディスプレイモジュールを互いに対向するように配置する段階以前に、前記立体パネル及び前記ディスプレイモジュールの外周部に紫外線硬化塗料を塗布する段階をさらに含み、
前記接合する段階において、前記立体パネルと前記ディスプレイモジュールは、塗布された前記紫外線硬化塗料を硬化させることによって接合されることを特徴とする請求項１６に記載の立体映像用ディスプレイパネル接合方法。
【請求項１８】
前記接合位置を調節する段階は、前記第１ジグ及び前記第２ジグのうちの一つ以上を前後方向及び左右方向に移動させることにより、前記左側映像と前記右側映像の分離状態が所定基準を満たすように前記接合位置を調節することを特徴とする請求項１５または１６に記載の立体映像用ディスプレイパネル接合方法。
【請求項１９】
前記立体映像信号を供給する段階において、前記立体映像信号の前記左側映像は、左側映像であることを表す識別表示を含み、前記立体映像信号の前記右側映像は、右側映像であることを表す識別表示を含むことを特徴とする請求項１５または１６に記載の立体映像用ディスプレイパネル接合方法。
【請求項２０】
前記立体パネルは、パララックスバリアを含むことを特徴とする請求項１５または１６に記載の立体映像用ディスプレイパネル接合方法。
【請求項２１】
前記立体映像信号を供給する段階は、前記立体パネル及び前記ディスプレイモジュールに駆動制御信号を供給する段階を含むことを特徴とする請求項２０に記載の立体映像用ディスプレイパネル接合方法。
【請求項２２】
前記立体パネルは、レンティキュラレンズアレイを含むことを特徴とする請求項１５または１６に記載の立体映像用ディスプレイパネル接合方法。
【発明の詳細な説明】
【技術分野】
【０００１】
本発明は、ディスプレイパネル接合技術に関するものであり、より詳細には、立体映像用ディスプレイパネルの立体パネルとディスプレイモジュールとを接合するとき、実際の立体映像の左側映像と右側映像の分離状態を確認した後に立体パネルとディスプレイモジュールを整列させることで、立体パネルとディスプレイモジュールをこれらの間の整列誤差なしに接合する技術に関するものである。
【背景技術】
【０００２】
情報通信技術の発展により、文字、音声、映像を高速処理するデジタル端末機において、２次元の映像と音声をサポートするマルチメディアサービスが可能となった。今後、情報通信技術は、立体的な実感を伴う３次元のマルチメディアサービスを提供するように発展することが予想される。
【０００３】
一般的に、３次元に見える立体映像は、両眼によるステレオ視の原理により可能となる。立体効果の重要な要因は、両眼視差、すなわち、人間の両眼の間が約６５mm離れていることによる視差である。これによって、左右の眼がそれぞれ互いに異なる角度からの異なる映像として対象を視認し、これらの異なる映像が網膜を通して脳に伝達されると、脳は、これらの異なる映像を合成して、奥行きと現実感を備えた対象の本来の３次元映像を再構成する。このような処理を、通常、ステレオグラフィ（ｓｔｅｒｅｏｇｒａｐｈｙ）という。
【０００４】
立体映像表示装置は、別の眼鏡を着用するか否かによって、大きく眼鏡式立体映像表示装置と、非眼鏡式（裸眼式）立体映像表示装置とに分類される。
【０００５】
眼鏡式立体映像表示装置には、ユーザー（観察者）が特定の眼鏡を着用するという不便さがあるが、一方、非眼鏡式立体映像表示装置では、ユーザー（観察者）がスクリーンを直接見ることにより、スクリーン上の立体映像を感じることができるため、眼鏡式立体映像表示装置の短所が解消される。したがって、現在、非眼鏡式立体映像表示装置の分野において、多くの研究開発が進行している。非眼鏡式立体映像表示装置は、さらに、レンティキュラ方式による装置と、パララックスバリア方式による装置とに大きく分類される。
【０００６】
レンティキュラ方式とは、ディスプレイパネルにおいて、左側映像と右側映像を縦セル（Ｒ、Ｇ、Ｂ）単位に縦方向に交互に配列し（縦インターレース方式）、左右映像の前面にそれぞれ専用に製作された屈折レンズ（以下、「レンティキュラレンズ」という）を装着することで、左右映像を互いに分離して立体映像が見られるようにする方式をいう。
【０００７】
また、パララックスバリア方式とは、左眼／右眼に対する映像の前に縦形の障壁（バリア）を配置することで、合成された２つの映像がスリットを通して分離され、立体映像として観察されるようにする方式である。
【０００８】
立体映像表示装置は、上述したレンティキュラレンズアレイまたはパララックスバリアを含む立体パネル、及びこの立体パネルに映像光を照射するディスプレイモジュールを含む。パララックスバリアを含む立体パネル及びディスプレイモジュールの具体的な構成は、本出願人によって２００５年８月２６日付にて出願され、本明細書に参照として統合される韓国特許出願第２００５-００７８６５０号に詳細に記述されている。
【０００９】
また、パララックスバリア方式の立体映像表示装置において、映像信号に従って各画素にＲ、Ｇ、Ｂを順次的に表示することで、Ｒ、Ｇ、Ｂ単位ではなく、画素単位で立体映像を表示できるパララックスバリア方式の立体映像表示装置に関する構成は、本出願人によって２００４年１２月２２日付にて出願され、本明細書に参照として統合される韓国特許出願第２００４-０１１０５０１号、及びこれに対する優先権を主張して２００５年１２月２２日付にて出願された韓国特許出願第２００５-０１２７６３１号に詳細に記述されている。
【００１０】
一方、パララックスバリア方式による立体パネル及びレンティキュラ方式による立体パネルの両方は、ディスプレイモジュールに対する整列位置によって立体映像の左側映像と右側映像の分離状態が影響を受ける。したがって、立体パネルとディスプレイモジュールを接合する工程において、精密な接合技術が要求される。
【００１１】
従来、原板状態の立体パネル及びディスプレイモジュールに、これらの整列位置を示すガイドマークを描いた後、立体パネル及びディスプレイモジュールを切削し、切削された立体パネル及びディスプレイモジュールを用いて立体映像用ディスプレイパネルを接合する技術が提案されている。しかし、切削工程で発生する誤差によって、立体パネルとディスプレイモジュールとの間の整列誤差が発生するという問題があった。
【００１２】
また、原板状態の立体パネル及びディスプレイモジュールを切削した後、立体パネルとディスプレイモジュールの整列位置に従ってガイドマークを付ける場合、ガイドマークによって立体パネル及びディスプレイモジュールの単価が上昇するだけでなく、立体パネル及びディスプレイモジュールに含まれたＴＮ−ＬＣＤまたはＴＦＴの状態が、切削状態に応じて微細に異なるものとなる。したがって、単純に既定の数値に従ってガイドマークを付けると、原板を切削する前にガイドマークを付ける場合と同様に、整列誤差が発生するという問題があった。
【００１３】
さらに、立体パネル及びディスプレイモジュールにガイドマークを付ける工程と、これらを接合する工程を別工程で行う場合、接合工程で発生する誤差を防止できないという問題があった。
【発明の開示】
【発明が解決しようとする課題】
【００１４】
本発明は、上記のような従来の問題点を解決するためのものであり、その目的は、立体パネルとディスプレイモジュールの接合工程の間に、左側映像と右側映像の分離を確認しながら、同時に立体パネルとディスプレイモジュールの接合を行える立体映像用ディスプレイモジュール接合装置を提供することにある。
【００１５】
本発明の他の目的は、上述したような立体映像用ディスプレイパネル接合装置を用いて立体映像用ディスプレイパネルを接合する方法を提供することにある。
【課題を解決するための手段】
【００１６】
上述した目的を達成するために、本発明の一実施形態に係る立体映像用ディスプレイパネル接合装置は、立体映像を実現するために左側映像と右側映像が選択的に見えるようにする立体パネルと前記立体パネルに映像光を照射するディスプレイモジュールとの接合位置を調節するための位置調節部と、前記立体パネル及び前記ディスプレイモジュールに接続され、前記立体パネル及び前記ディスプレイモジュールが立体映像を表示するための立体映像信号及び駆動制御信号を供給する立体映像信号制御部と、所定距離だけ離れた位置に配置された２つのカメラを含んで前記カメラで前記立体パネル及び前記ディスプレイモジュールに表示される立体映像を撮影することにより前記立体映像の前記左側映像及び前記右側映像の分離状態を確認するための映像確認部と、前記左側映像と前記右側映像の分離状態が所定基準を満たすように前記位置調節部が前記立体パネルと前記ディスプレイモジュールの接合位置を調節した後、前記立体パネルと前記ディスプレイモジュールとを接合する接合部と、を含む。
【００１７】
また、前記立体映像信号制御部が供給する前記立体映像信号の前記左側映像は、左側映像であることを表す識別表示を含み、前記立体映像信号制御部が供給する前記立体映像信号の前記右側映像は、右側映像であることを表す識別表示を含む。
【００１８】
また、前記映像確認部は、前記カメラによって撮影された前記立体映像の前記左側映像及び前記右側映像をそれぞれ表示する２つのモニターをさらに含む。また、前記位置調節部は、前記立体パネルを支持するための第１ジグと、前記ディスプレイモジュールを支持するための第２ジグと、前記第１ジグ及び第２ジグのうちの一つ以上を前後方向及び左右方向に移動させて調節する調節部と、を含む。また、前記位置調節部は、前記第１ジグ及び前記第２ジグを互いに対向するように回転させる回転部をさらに含む。
【００１９】
また、前記映像確認部は、２つのカメラによって撮影された前記立体映像の前記左側映像と前記右側映像の分離状態を前記所定基準と比較するための比較部と、前記比較部による比較の結果、前記左側映像と前記右側映像の分離状態が前記所定基準を満たすかどうかを判断する判断部と、をさらに含む。また、本発明の一実施形態に係る立体映像用ディスプレイパネル接合装置に含まれる前記位置調節部は、前記比較部及び前記判断部による判断の結果に基づいて、前記第１ジグ及び前記第２ジグのうちの一つ以上を前後方向及び左右方向に移動させて調節する自動位置調節部をさらに含む。
【００２０】
また、前記映像確認部の２つのカメラの間の所定距離は、人間の両眼の間の平均距離と同一、すなわち、約６５mmである。
【００２１】
また、前記立体パネルは、パララックスバリアを含む。前記立体パネルがパララックスバリアを含む場合、前記立体パネルはＴＮ-ＬＣＤを含み、前記ディスプレイモジュールは、前記ＴＮ-ＬＣＤに映像光を照射するためのＴＦＴを含む。
【００２２】
また、前記接合部は、紫外線硬化塗料を用いて前記立体パネルと前記ディスプレイモジュールを接合する。また、前記接合部は、前記紫外線硬化塗料を前記立体パネル及び前記ディスプレイモジュールの外周部に塗布するヘッドと、前記ヘッドを前後方向及び左右方向に移動させるための移動補助部と、前記立体パネル及び前記ディスプレイモジュールの外周部に塗布された前記紫外線硬化塗料を硬化させる硬化部と、を含む。
【００２３】
上述した目的を達成するための本発明の一実施形態に係る立体映像用ディスプレイパネル接合方法は、立体映像を実現するために左側映像と右側映像が選択的に見えるようにする立体パネルと前記立体パネルに映像光を照射するためのディスプレイモジュールとを、第１ジグ及び第２ジグにそれぞれ配置する段階と、前記立体パネル及び前記ディスプレイモジュールが前記立体映像を表示するように立体映像信号を供給する段階と、所定距離だけ離れた位置に配置された２つのカメラで前記立体パネル及び前記ディスプレイモジュールに表示される前記立体映像を撮影し、前記立体映像の前記左側映像と前記右側映像の分離状態を確認する段階と、前記左側映像と前記右側映像の分離状態が所定基準を満たすように前記立体パネルと前記ディスプレイモジュールとの接合位置を調節する段階と、前記左側映像と前記右側映像の分離状態が前記所定基準を満たすように前記立体パネルと前記ディスプレイモジュールとの接合位置を調節した後、前記立体パネルと前記ディスプレイモジュールを接合する段階と、を含む。
【００２４】
また、本発明の一実施形態に係る立体映像用ディスプレイパネル接合方法は、前記接合位置を調節する段階以前に、前記立体パネルと前記ディスプレイモジュールを互いに対向するように配置する段階をさらに含む。
【００２５】
また、本発明の一実施形態に係る立体映像用ディスプレイパネル接合方法は、前記立体パネルと前記ディスプレイモジュールを互いに対向するように配置する段階以前に、前記立体パネル及び前記ディスプレイモジュールの外周部に紫外線硬化塗料を塗布する段階をさらに含み、前記を接合する段階において、前記立体パネルと前記ディスプレイモジュールは、塗布された前記紫外線硬化塗料を硬化させることによって接合される。
【００２６】
また、前記接合位置を調節する段階は、前記第１ジグ及び前記第２ジグのうちの一つ以上を前後方向及び左右方向に移動させることにより、前記左側映像と前記右側映像の分離状態が所定基準を満たすにように前記接合位置を調節するものである。
【００２７】
また、前記立体映像信号を供給する段階において、前記立体映像信号の前記左側映像は、左側映像であることを表す識別表示を含み、前記立体映像信号の前記右側映像は、右側映像であることを表す識別表示を含む。
【００２８】
さらに、前記立体パネルは、パララックスバリアまたはレンティキュラレンズアレイを含む。
【発明の効果】
【００２９】
本発明に係る立体映像用ディスプレイパネル接合装置によると、立体パネルとディスプレイモジュールの接合工程の間に、左側映像と右側映像の分離を確認しながら、同時に立体パネルとディスプレイモジュールの接合を行うことができ、原板状態の立体パネル及びディスプレイモジュールを切削する段階で発生する微細な差を要因とする立体パネルとディスプレイモジュールとの間の整列誤差を防止することができる。
【００３０】
また、接合工程の間に、接合位置を整列させるためのガイドマークを挿入することなく、左側映像と右側映像の分離状態を確認しながら、立体パネルとディスプレイモジュールを接合することにより、立体映像用ディスプレイパネルの接合に要する原価を節減することができる。
【００３１】
また、接合段階と、立体映像の左側映像と右側映像の確認段階を同時に行うことにより、これらの段階を別に行う場合に発生する整列誤差を減少させることができる。
【発明を実施するための最良の形態】
【００３２】
以下、本発明の好適な実施形態を添付された図面に基づいて詳細に説明する。添付された図面に基づいて開示される詳細な説明は、本発明の例示的な実施形態を説明するためのものであり、本発明を実施可能な唯一の形態を示すものではない。詳細な説明の全般で使用される「例示的な」という用語は、本発明の一例を意味し、他の実施形態に比べて好ましいまたは有利なものとして解するる必要はない。詳細な説明は、本発明の完全な理解を提供するために具体的な細部事項を含む。しかし、当業者であれば、本発明がこのような具体的な細部事項なしにも実施可能であることを理解することができる。場合によっては、本発明の概念が曖昧になることを避けるために、周知の構造及び装置が省略されるか、または、各構造及び装置の主要な技術に基づくブロック図の形式で図示される。また、本明細書を通じて、同一の構成要素に対しては同一の符号を使用する。
【００３３】
図１は、本発明に係る立体映像用ディスプレイパネル接合装置によって接合される立体パネル及びディスプレイモジュールの構成を示した図である。
【００３４】
立体映像用ディスプレイパネルは、立体パネル１００と、この立体パネル１００に映像光を照射するディスプレイモジュール２００とを含む。
【００３５】
本発明によって接合される立体映像用ディスプレイパネルにおいて、立体映像を実現するために左側映像と右側映像が選択的に見えるようにする立体パネル１００は、パララックスバリア（図示せず）またはレンティキュラレンズアレイ（図示せず）を含むものであってもよい。また、立体パネル１００がパララックスバリアを含む場合、このパララックスバリアはＴＮ−ＬＣＤを含み、このとき、ディスプレイモジュールは、ＴＮ−ＬＣＤに映像光を照射するＴＦＴを含むものであってもよい。
【００３６】
上述した立体パネル１００は、肉眼で確認できない程の間隔で反復的に配置されたレンティキュラレンズアレイまたはパララックスバリアを含むため、立体パネル１００とディスプレイモジュール２００との間の微細な整列誤差が、映像の表示に大きな影響を与える可能性がある。
【００３７】
図２は、本発明の一実施形態に係る立体映像用ディスプレイパネル接合装置の構成を示した概略図である。
【００３８】
図２に示すように、立体映像用ディスプレイパネル接合装置は、位置調節部１０、立体映像信号制御部２０、映像確認部３０、及び接合部４０を含む。
【００３９】
図１を参照して、図２に示した各構成要素を説明する。位置調節部１０は、立体映像を実現するために左側（左眼用）映像と右側（右眼用）映像が選択的に見えるようにする立体パネル１００と、この立体パネル１００に映像光を照射するディスプレイモジュール２００との接合位置を調節する。さらに、位置調節部１０は、立体パネル１００を支持するためのジグ、及びディスプレイモジュール２００を支持するためのジグ、及び、これらジグのうちの一つ以上を前後方向及び左右方向に移動させて調節するための調節部を含む。但し、立体パネル１００とディスプレイモジュール２００との接合位置を調節できる限り、周知の任意の調節手段が使用可能である。本発明の一実施形態に係る位置調節部１０の具体的な構成については、後述する。
【００４０】
立体映像信号制御部２０は、立体パネル１００及びディスプレイモジュール２００に接続され、立体パネル１００及びディスプレイモジュール２００が立体映像を表示するための立体映像信号及び駆動制御信号を供給する。立体映像信号は、人間の左眼で見るために生成された左側映像、及び人間の右眼で見るために生成された右側映像を含む。また、駆動制御信号は、立体パネル１００及びディスプレイモジュール２００内での駆動が制御できる任意の構成要素（例えば、立体パネル１００がパララックスバリアを含む場合、パララックスバリア）の駆動を制御可能な信号を含む。
【００４１】
本実施形態における立体映像用ディスプレイパネル接合装置において、映像確認部３０は、所定距離だけ離れた位置に配置された２つのカメラ３１及び３２を含む。一実施形態において、２つのカメラ３１及び３２の間の距離は、人間の両眼の間の平均距離と同一であり、好ましくは、約６５mmである。但し、人間の両眼の間の距離の誤差範囲内にあるカメラ間の距離が利用可能であることは、当業者にとって自明である。これらの２つのカメラは、人間の左眼に相当するカメラ（カメラＬ）と右眼に相当するカメラ（カメラＲ）とに分けられる。映像確認部３０は、これらのカメラ３１及び３２で立体パネル１００及びディスプレイモジュール２００に表示される立体映像を撮影することにより、立体映像の左側映像と右側映像の分離状態を確認（検査）する。したがって、各カメラ３１及び３２は、位置調節部１０の２つのジグに互いに対向するように配置された立体パネル１００とディスプレイモジュール２００が重なる位置が撮影できる場所に配置される。カメラの配置場所に関しては、位置調節部１０の上方の場所が好ましいが、これに限定されるものではない。
【００４２】
また、接合部４０は、映像確認部３０で確認された左側映像と右側映像の分離状態が所定基準を満たすように位置調節部１０が立体パネル１００とディスプレイモジュール２００の接合位置を調節した後、立体パネル１００とディスプレイモジュール２００を接合する。接合部４０による立体パネル１００とディスプレイモジュール２００との接合は、映像確認部３０が左側映像と右側映像の分離状態を確認しつつ位置調節部１０によって選択された最適の位置で行われるため、接合段階で発生する接合誤差を減少させることができる。
【００４３】
図３は、本発明の一実施形態に係る立体映像用ディスプレイパネル接合装置が備える立体映像の一例を示した図である。
【００４４】
図３に示すように、立体映像信号制御部２０が供給する立体映像信号の左側映像は、左側映像であることを表す識別表示（例えば「Ｌ」）を含み、立体映像信号制御部２０が供給する立体映像信号の右側映像は、右側映像であることを表す識別表示（例えば、「Ｒ」）を含む。立体映像信号制御部２０が供給するこのような立体映像は、図３に示すように、左側映像と右側映像が縦方向に交互に配置されることにより、左側映像と右側映像が重なった形態を有する。図３に示した「Ｌ」と「Ｒ」が重なった映像の場合、「Ｌ」は、左側映像を表し、「Ｒ」は、右側映像を表す。立体映像制御部２０が供給するする実際の映像は、図３に示した映像に比べてより細密に分割されて配置されている。したがって、映像が交互に配置されたものであることを肉眼で見分けることは難しく、単に「Ｌ」と「Ｒ」が重なった映像として認識される。
【００４５】
図４は、本発明の一実施形態に係る立体映像用ディスプレイパネル接合装置の映像確認部によって左側映像と右側映像が分離された映像の一例を示した図である。
【００４６】
位置調節部１０によって立体パネル１００とディスプレイモジュール２００の接合位置が調節された場合、映像確認部３０の左側映像用カメラ３１によって撮影される映像は、実質的に図４の（１）に示した映像と同じであり、右側映像用カメラ３２によって撮影される映像は、実質的に図４の（２）に示した映像と同じである。
【００４７】
本発明の一実施形態に係る立体映像用ディスプレイパネル接合装置の映像確認部３０は、各カメラ３１及び３２によって撮影された立体映像の左側映像及び右側映像をそれぞれ表示する２つのモニターをさらに含む。これら２つのモニターは、図４の（１）及び（２）に示すように、左側映像と右側映像を別々に表示することができ、最適の接合位置を肉眼によって決定することが可能となる。立体映像確認部３０の詳細構成については、後述する。
【００４８】
図５は、本発明の一実施形態に係る立体映像用ディスプレイパネル接合装置の位置調節部の構成を示した図である。
【００４９】
位置調節部１０は、図５に示すように、立体パネル１００を支持するためのジグ１２と、ディスプレイモジュール２００を支持するためのジグ１１とを含む。また、位置調節部１０は、各ジグ１１，１２を互いに対向するように回転させる回転部１３を含むものであってもよい。但し、各ジグ１１，１２を相対的に移動させて、立体パネル１００とディスプレイモジュール２００をそれらが互いに対向して重なるように配置させられる限り、回転部１３以外の任意の手段が利用可能である。立体パネル１００及びディスプレイモジュール２００に接着塗料、例えば、紫外線硬化塗料を塗布し、回転部１３による回転または他の任意の手段でジグ１１，１２を相対的に移動させることにより立体パネル１００とディスプレイモジュール２００を互いに対向して重なるように配置し、そして、立体映像信号を確認することによって、接合位置を調節することができる。その結果、立体パネル１００とディスプレイモジュール２００の位置を調節した後、接合段階で発生する整列誤差を減少させることができる。
【００５０】
また、本発明の例示的な一実施形態に係る立体映像用ディスプレイモジュール接合装置の位置調節部１０は、図５に示したように、各ジグ１１，１２のうちの一つ以上を前後方向及び左右方向に移動させて調節する調節部１４を含む。この調節部１４は、各ジグ１１，１２のうちの一つを前後方向に移動するための前後方向レール１５ａ、及び各ジグ１１，１２のうちの一つを左右方向に移動するための左右方向レール１５ｂを含む。但し、各ジグの相対的な動きを誘導できる限り、他の任意の調節手段が利用可能である。上述した位置調節部１０の構成により、立体映像の左側映像と右側映像の分離状態を確認すると同時に、立体パネル１００とディスプレイモジュール２００の整列位置を前後方向及び左右方向に調節することができる。
【００５１】
図６は、本発明の例示的な一実施形態に係る立体映像用ディスプレイパネル接合装置を示した正面図及び側面図である。
【００５２】
図６に示した例示的な立体映像用ディスプレイパネル接合装置は、位置調節部１０、映像確認部３０を構成する２つのカメラ３１，３２及び２つのモニター３３，３４、接合部４０を構成するヘッド４１、移動補助部４２、及び硬化部４３を含む。
【００５３】
図示の例において、接合部４０は、上述したように、紫外線硬化塗料を用いて立体パネル１００とディスプレイモジュール２００を接合することができる。
【００５４】
また、図示の例において、接合部４０のヘッド４１は、紫外線硬化塗料を立体パネル及びディスプレイモジュールの外周部に塗布し、移動補助部４２は、ヘッド４１を前後方向及び左右方向に移動させ、硬化部４３は、立体パネル１００及びディスプレイモジュール２００の外周部に塗布された紫外線硬化塗料を硬化させるものである。
【００５５】
また、図６に示した例において、映像確認部３０は、２つのモニター３３，３４を含み、それぞれ左側映像を撮影するカメラ３１と右側映像を撮影するカメラ３２によって撮影された映像を表示する。２つのモニター３３，３４が各カメラ３１，３２によって撮影された左側映像と右側映像をそれぞれ表示することにより、立体映像の左側映像と右側映像の分離状態を肉眼で確認することができる。これによって、立体パネル１００とディスプレイモジュール２００の整列状態を容易に確認することができる。
【００５６】
また、本発明の例示的な一実施形態に係る立体映像用ディスプレイパネル接合装置において、映像確認部３０は、２つのカメラ３１，３２によって撮影された立体映像の左側映像と右側映像の分離状態を所定基準と比較するための比較部（図示せず）、及びこの比較部による比較の結果、左側映像と右側映像の分離状態が所定基準を満たすかどうかを判断する判断部（図示せず）をさらに含むものであってもよい。これによって、位置調節部１０の位置制御の良否が自動的に判定される。比較部及び判断部による判断の結果に基づいて、位置調節部１０が各ジグのうちの一つ以上を前後方向及び左右方向に移動させて調節することは、自動位置調節部（図示せず）によって実現される。
【００５７】
立体映像の左側映像と右側映像の分離状態と比較するための「所定基準」は、立体映像の品質と立体映像用ディスプレイパネルの接合に要する時間に基づいて、製造者の必要に応じて決定される。
【００５８】
図７は、本発明の一実施形態に係る立体映像用ディスプレイパネル接合方法の各段階を示したフローチャートである。
【００５９】
図７を参照して説明すると、段階Ｓ１０において、立体パネル１００及びディスプレイモジュール２００を、それぞれのジグに配置する。立体パネル１００及びディスプレイモジュール２００が配置された各ジグ１１，１２は、回転部１３または他の任意の手段によって互いに対向するように回転する。このとき、立体パネル１００とディスプレイモジュール２００を互いに対向するように重ねる前に、紫外線硬化塗料を塗布する段階を含むことが好ましい。また、塗布された紫外線硬化塗料は、接合位置の調節後に硬化され、これによって、整列後の接合段階の間に発生する整列誤差を減少させることができる。
【００６０】
段階Ｓ２０において、立体パネル１００及びディスプレイモジュール２００に、これらが立体映像を表示するように立体映像信号及び駆動制御信号を供給する。ここで、立体映像信号の左側映像は、左側映像であることを表す識別表示を含み、右側映像は、右側映像であることを表す識別表示を含む。これによって、左側映像と右側映像の分離状態を容易に確認することができる。
【００６１】
段階Ｓ３０において、互いに所定距離だけ離れた位置に配置された２つのカメラを用いて、立体パネル１００及びディスプレイモジュール２００に表示される立体映像を撮影する。２つのカメラは、左眼用の左側映像と右眼用の右側映像をそれぞれ撮影し、これによって、立体映像の左側映像と右側映像の分離状態を確認することができる。
【００６２】
段階Ｓ４０において、左側映像と右側映像の分離状態が所定基準を満たすかどうかを判定する。左側映像と右側映像の分離状態が所定の状態以上であると判定された場合、段階Ｓ５０に進み、立体パネル１００とディスプレイモジュール２００の接合段階に移行する。反対に、左側映像と右側映像の分離状態が所定の状態に達していないと判定された場合、立体パネル１００とディスプレイモジュール２００の接合位置を調節する。左側映像と右側映像の分離状態は、肉眼で確認することも、または、判断部によって自動的に確認することも可能である。その結果に従って、立体パネルとディスプレイモジュールの位置が自動的に調節される。
【００６３】
段階Ｓ６０において、立体パネル１００とディスプレイモジュール２００の接合位置を調節することは、立体パネル１００及びディスプレイモジュール２００が配置された各ジグ１１，１２のうちの一つ以上を前後方向及び左右方向に移動させて、左側映像と右側映像の分離状態が所定基準を満たすように調節することに相当する。段階Ｓ６０の位置調節が終了した後、段階４０における判定の結果、左側映像と右側映像の分離状態が所定の状態以上である場合、段階Ｓ５０に進行する。
【００６４】
段階Ｓ５０において、立体パネル１００とディスプレイモジュール２００を接合する。上述したように、本発明の一実施形態では、立体パネル１００とディスプレイモジュール２００の接合は、紫外線硬化塗料を用いて行われる。但し、接合のための加圧のような整列誤差を発生させない限り、周知の任意の方法が利用可能である。
【００６５】
以上、開示された実施形態を、当業者が本発明を開発及び実施できる程度に詳細に説明した。当業者であれば、上述した実施形態に対する多様な変形例を容易に理解することが可能であり、本明細書に定義した一般的な原則は、本発明の思想及び範囲を逸脱しない範囲で他の実施形態に適用され得る。したがって、本発明の範囲は、本明細書に開示された実施形態に限定されるものでなく、本明細書に開示された原理及び新規の特徴にまで広範に及ぶものである。
【図面の簡単な説明】
【００６６】
【図１】本発明に係る立体映像用ディスプレイパネル接合装置によって接合される立体パネル及びディスプレイモジュールの構成を示した図である。
【図２】本発明の一実施形態に係る立体映像用ディスプレイパネル接合装置の構成を概略的に示したブロック図である。
【図３】本発明の一実施形態に係る立体映像用ディスプレイパネル接合装置が備える立体映像の一例を示した図である。
【図４】本発明の一実施形態に係る立体映像用ディスプレイパネル接合装置の映像確認部によって左側映像と右側映像が分離された状態の一例を示した図である。
【図５】本発明の一実施形態に係る立体映像用ディスプレイパネル接合装置の位置調節部の構成を示した図である。
【図６】本発明の例示的な一実施形態に係る立体映像用ディスプレイパネル接合装置を示した正面図及び側面図である。
【図７】本発明の一実施形態に係る立体映像用ディスプレイパネル接合方法の各段階を示したフローチャートである。
【符号の説明】
【００６７】
１０  位置調節部
１１  第１ジグ
１２  第２ジグ
１３  回転部
１４  調節部
１５ａ，１５ｂ  レール
２０  立体映像信号制御部
３０  映像確認部
３１，３２  カメラ
３３，３４  モニター
４０  接合部
４１  ヘッド
４２  移動補助部
４３  硬化部
１００  立体パネル
２００  ディスプレイモジュール
５０１  立体パネル
５０２  ディスプレイモジュール
【図１】
2009524098.tif 000003
【図２】
2009524098.tif 000004
【図３】
2009524098.tif 000005
【図４】
2009524098.tif 000006
【図５】
2009524098.tif 000007
【図６】
2009524098.tif 000008
【図７】
2009524098.tif 000009
【国際調査報告】
2009524098.tif 000010
2009524098.tif 000011